(57)【特許請求の範囲】
【請求項１】
マイクロレンズが第１のピッチ（ｐ）で配列されたマイクロレンズアレイと、
前記マイクロレンズの焦点位置に配置された３次元微細構造物が、前記第１のピッチ（ｐ）とは異なる第２のピッチ（ｗ）で配列された３次元微細構造物アレイと、を備え、
前記３次元微細構造物アレイは、２枚のプラスチックシートで挟持一体化され、
前記マイクロレンズアレイは、観察側の前記プラスチックシートに形成され、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項２】
前記３次元微細構造物の観察側もしくは観察側とは反対側に、反射層が設けられていることを特徴とする
請求項１に記載のセキュリティ媒体。
【請求項３】
マイクロミラーレンズが第１のピッチ（ｐ）で配列されたマイクロミラーレンズアレイと、
前記マイクロミラーレンズの焦点位置に配置された３次元微細構造物が、前記第１のピッチ（ｐ）とは異なる第２のピッチ（ｗ）で配列された３次元微細構造物アレイと、を備え、
前記マイクロミラーレンズアレイは、２枚のプラスチックシートで挟持一体化され、
前記３次元微細構造物アレイは、観察側の前記プラスチックシートに形成され、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする
セキュリティ媒体。
【請求項４】
前記マイクロミラーレンズの観察側もしくは観察側とは反対側に、反射層が設けられていることを特徴とする
請求項３に記載のセキュリティ媒体。
【請求項５】
請求項１から請求項４の何れか１項に記載のセキュリティ媒体を用いたことを特徴とする
プラスチックカード。
【請求項６】
請求項１から請求項４の何れか１項に記載のセキュリティ媒体を用いて真贋判定を行うことを特徴とする
真贋判定方法。
【発明の詳細な説明】
【技術分野】
【０００１】
本発明は、真贋判定を可能とするセキュリティ媒体、特に、直接目視することでは判別不可能な３次元微細構造物を有するセキュリティ媒体、並びに、その真贋判定方法に関する。
【背景技術】
【０００２】
金券やＩＤ証など、偽造防止を必要とされている媒体において、特殊な装置を必要とすることなく簡易に真贋判定出来ることが求められている一方で、偽造が困難なハイセキュリティ性が求められている。
【０００３】
従来、パールインキやホログラムなど容易に目視判断出来る偽造防止画像形成物や、印刷物の中に２次元の潜像図柄を組込みマイクロレンズによって潜像を発現させて真贋判定可能な偽造防止画像形成物が知られている。また３次元形状を持つ構造物のシートの上にマイクロレンズシートを接着層で接着し、モアレの効果で拡大像を発現させるものも知られている。
【０００４】
特許文献１には、回折構造からなる表示パターンの上側にブレーズド型もしくはバイナリ型のホログラムレンズを重ね合わせることで生じるモアレ効果によって合成像を表示する表示体が開示されている。
【０００５】
特許文献２には、マイクロレンズと顕微鏡レベル構造体を組み合わせ、顕微鏡レベル構造体をモアレ効果で拡大させて見るセキュリティ媒体が開示されている。
【先行技術文献】
【特許文献】
【０００６】
【特許文献１】特開２００９−１８６５４４号公報
【特許文献２】特表２００８−５２９８５１号公報
【発明の概要】
【発明が解決しようとする課題】
【０００７】
特許文献１に記載の回折構造からなる表示パターンを形成する凹凸の深さは、光の波長程度の数百ｎｍ程度である。このような表示パターンは、観察者に対して表示パターンの凹凸を積極的に観察させるものとは異なり、回折像が浮いたり沈んだりして観察される。また、表示パターンと観察用のレンズ群は、表面に露出している、もしくは、粘着層で接着されているだけであるため、これらをそのまま複製する、あるいは、溶剤などを用いて取り出して複製することは比較的容易な構造となっている。
【０００８】
また、特許文献２に記載の顕微鏡レベル構造体は、エンボスされた立体構造ではあるものの、マイクロレンズの層と顕微鏡レベル構造体の層とは接着層を介して接着されたものであって、溶剤などを用いて接着層を剥がし顕微鏡レベル構造体の構成を解析して複製することは容易な構造となっている。
【０００９】
本発明は、マイクロレンズあるいはマイクロミラーレンズを利用して、観察者に３次元立体構造物を拡大表示するセキュリティ媒体において、マイクロレンズあるいはマイクロミラーレンズ、もしくは、３次元立体構造物の一方を取り出し困難な構成とし、偽造あるいは改ざんを防止することのできるセキュリティ媒体を提供することを目的とするものである。
【課題を解決するための手段】
【００１０】
そのため本発明に係るセキュリティ媒体は、
マイクロレンズが第１のピッチ（ｐ）で配列されたマイクロレンズアレイと、
前記マイクロレンズの焦点位置に配置された３次元微細構造物が、前記第１のピッチ（ｐ）とは異なる第２のピッチ（ｗ）で配列された３次元微細構造物アレイと、を備え、
前記３次元微細構造物アレイは、２枚のプラスチックシートで挟持一体化され、
前記マイクロレンズアレイは、観察側の前記プラスチックシートに形成され、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１１】
さらに本発明に係るセキュリティ媒体は、
前記３次元微細構造物の観察側もしくは観察側とは反対側に、反射層が設けられていることを特徴とする。
【００１２】
また本発明に係るセキュリティ媒体は、
マイクロミラーレンズが第１のピッチ（ｐ）で配列されたマイクロミラーレンズアレイと、
前記マイクロミラーレンズの焦点位置に配置された３次元微細構造物が、前記第１のピッチ（ｐ）とは異なる第２のピッチ（ｗ）で配列された３次元微細構造物アレイと、を備え、
前記マイクロミラーレンズアレイは、２枚のプラスチックシートで挟持一体化され、
前記３次元微細構造物アレイは、観察側の前記プラスチックシートに形成され、
前記３次元微細構造物に対するピッチ差（ｗ−ｐ）の比率をＡ［％］とすると、
ｗ＞ｐの場合には、
１００ｗ／（２０００＋ｗ）≧Ａ＞０
を満たすように、ｗを設定し、
ｗ＜ｐの場合には、
１００ｗ／（２０００−ｗ）≧Ａ＞０
を満たすように、ｗを設定することを特徴とする。
【００１３】
また本発明に係るセキュリティ媒体は、
前記マイクロミラーレンズの観察側もしくは観察側とは反対側に、反射層が設けられていることを特徴とする。
【００１４】
さらに本発明に係るプラスチックカードは、前記の何れかに記載のセキュリティ媒体を用いたことを特徴とする。
【００１５】
また本発明に係る真贋判定方法は、前述した何れか１つのセキュリティ媒体を用いて真贋判定を行うことを特徴とする。
【発明の効果】
【００１６】
本発明によれば、マイクロレンズアレイと３次元微細構造物を重ねることでルーペや顕微鏡などの治具を用いなくても目視による真贋判定が可能となる。また、真贋判定の観察対象として３次元微細構造物を採用したことで、従来の２次元（平面上）に印刷された画像を利用した真贋判定とは異なり、拡大観察される像を模写するだけでは３次元微細構造物を複製することはできず、偽造が困難な構成となっている。
【００１７】
さらに、マイクロレンズあるいはマイクロミラーレンズと、３次元微細構造物のどちらか一方が、２枚のプラスチックシートの間に挟持一体化されていることで、それらを取り出して解析、複製することも困難な構造となっている。したがって、偽造、改ざん防止の効果に優れたセキュリティ媒体を提供することが可能とされている。
【図面の簡単な説明】
【００１８】
【図１】本発明の実施形態に係るセキュリティ媒体を使用したセキュリティカードを示す斜視図
【図２】本発明の実施形態に係るセキュリティ媒体（タイプＡ）の構成を示す模式図
【図３】本発明の実施形態に係る３次元微細構造物、マイクロレンズの配列を示す図
【図４】本発明の他の実施形態に係る３次元微細構造物、マイクロレンズの配列を示す図
【図５】本発明の実施形態に係るセキュリティ媒体（タイプＡ）の実像表示原理を示す図
【図６】本発明の実施形態に係るセキュリティ媒体（タイプＡ）の虚像表示原理を示す図
【図７】本発明の実施形態に係るセキュリティ媒体（タイプＢ）の構成を示す模式図
【図８】本発明の実施形態に係るセキュリティ媒体（タイプＢ）の実像表示原理を示す図
【図９】本発明の実施形態に係るセキュリティ媒体（タイプＢ）の虚像表示原理を示す図
【図１０】実像表示時における３次元微細構造物のピッチとピッチ差の関係を示す図
【図１１】虚像表示時における３次元微細構造物のピッチとピッチ差の関係を示す図
【図１２】本発明の実施形態に係るセキュリティ媒体（実施例１：タイプＡ）の製造過程及びその構成を示す図
【図１３】本発明の実施形態に係るセキュリティ媒体（実施例２：タイプＡ）の製造過程及びその構成を示す図
【図１４】本発明の実施形態に係るセキュリティ媒体（実施例３：タイプＢ）の製造過程及びその構成を示す図
【図１５】本発明の実施形態に係るセキュリティ媒体（実施例４：タイプＢ）の製造過程及びその構成を示す図
【発明を実施するための形態】
【００１９】
本発明に係るセキュリティ媒体の実施形態について図を用いて詳細に説明する。図１は、本発明の実施形態に係るセキュリティ媒体を有するセキュリティカードを示す斜視図である。セキュリティ媒体は、クレジットカードやＩＤ証、紙幣、金券、有価証券など真贋判定が必要とされる各種カード、紙類などに形成される媒体であって、容易に偽造されないことが必要とされる。
【００２０】
図１に示すセキュリティ媒体５は、クレジットカードのようなセキュリティカード４に設けられた例であって、セキュリティカード４の一部に所定の像が目視可能に形成されている。セキュリティカード４を使用もしくは認証する者は、セキュリティ媒体５に予め定められている像が表示されていることをもって真のセキュリティカード４であることを認証する。以後の説明では、図１に示すように、セキュリティカード４の板面をＸＹ平面にとり、ＸＹ平面に垂直かつ使用者が観察する方向をＺ軸の正の方向にとって説明する。
【００２１】
図２は、本発明の実施形態に係るセキュリティ媒体（タイプＡ）の構成を示す模式図であって、セキュリティ媒体の一部を拡大した斜視図となっている。本実施形態のセキュリティ媒体５は、ＸＹ平面と平行な面上に配列された３次元微細構造物１と、ＸＹ平面と平行な面上に配列されたマイクロレンズ２によって、拡大された３次元微細構造物１の実像もしくは虚像を観察者に観察させる。これは隣接する３次元微細構造物１間の間隔（ピッチｗ）と隣接するマイクロレンズ２の間隔（ピッチｐ）の間にわずかなピッチ差を設け、ピッチ差によって発生するモアレ効果を利用したものとなっている。
【００２２】
図３には、図２に記載する３次元微細構造物１のＸＹ平面と平行な面における配列（３次元微細構造物アレイ）、マイクロレンズ２のＸＹ平面と平行な面における配列（マイクロレンズアレイ）が、それぞれ図３（ａ）、（ｂ）に示されている。本実施形態の３次元微細構造物１、マイクロレンズ２の配列は、どちらも格子状に配列されたものとなっている。図３（ａ）に示されるように隣接する３次元微細構造物１はＸ軸方向にピッチｗ、Ｙ軸方向にピッチｚを有して配列されている。ピッチｗとピッチｚを等距離としてもよい。
３次元微細構造物１の形状は、任意な形状とすることができるが、後ほど説明する拡大率の関係を分かりやすくするため、直径ｈで円形の外形を有するものとしている。
【００２３】
一方、図３（ｂ）に示されるようにマイクロレンズ２は、３次元微細構造物１と同様に格子状に配列されている。そして隣接するマイクロレンズ２は、Ｘ軸方向にピッチｐ、Ｙ軸方向にピッチｑを有して配列されている。ただし、このピッチｐは３次元微細構造物１のピッチｗに対して僅かな差（ピッチ差）を有したものとなっている。このピッチｐとピッチｑも等距離としてもよい。なお、マイクロレンズ２のピッチｑについても、３次元微細構造物１のピッチｚと僅かな差（ピッチ差）を有して配列されている。
【００２４】
マイクロレンズ２の大きさは、数十〜数百μｍ程度の大きさに形成される。一方、マイクロレンズ２によって拡大される３次元微細構造物１は、マイクロレンズ２の大きさよりも小さく形成されることとなる。３次元微細構造物１は、秘匿性の都合上、直接目視したときに視認できない程度の大きさとすることが好ましい。
【００２５】
３次元微細構造物１とマイクロレンズ２の配列は、図３のような格子状配列に限らず、例えば、図４のような配列であってもよい。図４の例は、３次元微細構造物１、マイクロレンズ２が亀甲状に配列された例である。図４（ａ）に示されるように、Ｘ軸方向に隣接する３次元微細構造物１は、ピッチｗを有して配列される。そして、斜め方向に隣接する３次元微細構造物１に対してもピッチｗを有して配列されている。マイクロレンズ２も同様であって、図４（ｂ）に示されるようにＸ軸方向、斜め方向に隣接するマイクロレンズ２間はピッチｐを有して配列されている。本実施形態のセキュリティ媒体は、モアレ効果を利用することで複数の３次元微細構造物１の拡大表示像を重ねて観察者に提示することとしている。そのため、単位面積あたりに配置された３次元微細構造物１やマイクロレンズ２が多いほど、表示像を鮮明なものとすることが可能となる。
【００２６】
では、図２に示した構成のセキュリティ媒体（タイプＡ）について、その表示原理を図５を用いて説明する。ここではＸ軸方向に隣接する３次元微細構造物１による表示原理を説明するが、Ｙ軸方向、あるいは、斜め方向に隣接する３次元微細構造物１に対しても同様の表示原理を利用することで、表示像をより鮮明なものとすることが可能となる。
【００２７】
タイプＡのセキュリティ媒体は、観察者側に近い側にマイクロレンズ２のレンズ面が配置され、観察者から遠い側に３次元微細構造物１が配置されたレイアウトとされている。図５には、マイクロレンズ２によって形成されるレンズ面と、３次元微細構造物１、並びに観察される実像が模式的に示されている。
【００２８】
３次元微細構造物１は、Ｚ軸方向すなわち観察者の観察方向において、マイクロレンズ１の略焦点位置に配置される。略焦点位置とは、観察者が拡大された３次元微細構造物１を視認できる範囲の位置を意味するものであって、正確な焦点距離に対し約３０％範囲以内の位置のことをいう。隣接するマイクロレンズ２間のピッチをｐ、隣接する３次元微細構造物１間のピッチをｗ、３次元微細構造物１の直径をｈ、マイクロレンズ２の曲率半径の中心位置から３次元微細構造物１までの距離をｄ、３次元微細構造物１の実像とマイクロレンズ２の曲率半径の中心位置までの距離をＬとする。なお、図はＺＸ平面内での主光線の様子を示したものとなっているが、拡大の様子を分かりやすくするため、３次元微細構造物１とその実像についてはＸＹ平面の様子を示したものとしている。
【００２９】
図５のセキュリティ媒体の構成は、マイクロレンズ２のピッチｐよりも３次元微細構造物１のピッチｗが大きい場合（ｗ＞ｐ）の構成となっている。この場合、３次元微細構造物１は、マイクロレンズ２によって拡大像を形成する。所定の距離Ｌの位置では、ピッチ差（ｗ−ｐ）を起因として、隣接する拡大像が同じ位置あるいは略同じ位置に重なり合う
ことで実像を形成、すなわち、セキュリティ媒体に対して観察者側に像が形成される。これはいわゆるモアレ効果を利用したものであって、観察者は拡大された３次元微細構造物１を浮いた状態で観察することが可能となる。
【００３０】
このように拡大して観察される３次元微細構造物１の拡大率について検証しておく。図５において幾何学上の相似関係から（１−１）式を導くことができる。
ｗ（Ｌ＋ｄ）＝ｐ／Ｌ      ・・・（１−１）
（１−１）式を変形すると、
Ｌ＝ｄｐ／（ｗ−ｐ）      ・・・（１−２）
【００３１】
同様に、幾何学上の相似関係から（１−３）式を導くことができる。
Ｈ＝Ｌｈ／ｄ              ・・・（１−３）
（１−３）式を変形すると、
Ｌ＝Ｈｄ／ｈ              ・・・（１−４）
【００３２】
（１−２）式と（１−４）式から、観察される３次元微細構造物１の拡大率αは（１−５）式にて表すことができる。
α＝Ｈ／ｈ＝ｐ／（ｗ−ｐ）・・・（１−５）
【００３３】
以下に、図５のセキュリティ媒体について、拡大率αと観察される象の大きさＣの数値実施例を記載しておく。何れの場合も３次元微細構造物１の大きさｈ（直径）を９０μｍ、３次元微細構造物のピッチｗを９８．９μｍに固定している。
【表１】
0005867696.tif 000002
【００３４】
表１から分かるようにピッチ差が小さくなるほど、拡大率α、観察像の大きさは共に大きくなることが分かる。また、１μｍのピッチ差が拡大率に大きく影響を及ぼすこともみてとれる。３次元微細構造物１とマイクロレンズ２とのピッチ差を精密に異ならせて製造することは難しいため、その複製を困難な状態とし、容易に偽造や改ざんを行うことを防止することが可能となる。
【００３５】
図６は、図５と同様、観察者側にマイクロレンズ２が配置されているセキュリティ媒体（タイプＡ）であって、３次元微細構造物１のピッチｗよりもマイクロレンズ２のピッチｐが大きい場合（ｐ＞ｗ）の構成となっている。図６には、マイクロレンズ２によって形成されるレンズ面と、３次元微細構造物１、並びに観察される虚像が模式的に示されている。
【００３６】
３次元微細構造物１は、Ｚ軸方向すなわち観察者の観察方向において、マイクロレンズ
１の略焦点位置に配置される。略焦点位置とは、観察者が拡大された３次元微細構造物１を視認できる範囲の位置を意味するものであって、正確な焦点距離に対し約３０％範囲以内の位置のことをいう。隣接するマイクロレンズ２間のピッチをｐ、隣接する３次元微細構造物１間のピッチをｗ、３次元微細構造物１の直径をｈ、マイクロレンズ２の曲率半径の中心位置から３次元微細構造物１までの距離をｄ、３次元微細構造物１から実像までの距離をＬとする。
【００３７】
この場合、３次元微細構造物１は、マイクロレンズ２によって拡大像を形成する。このとき所定の距離Ｌの位置では、ピッチ差（ｐ−ｗ）を起因として、隣接する拡大像が同じ位置あるいは略同じ位置に重なり合うことで虚像を形成する。すなわち、セキュリティ媒体に対して観察者と反対側に像を形成する。観察者は拡大された３次元微細構造物１を沈んだ状態で観察することが可能となる。
【００３８】
このように拡大して観察される３次元微細構造物１の拡大率について検証しておく。図６において幾何学上の相似関係から（２−１）式を導くことができる。
ｗ／Ｌ＝ｐ／（Ｌ＋ｄ）    ・・・（２−１）
（２−１）式を変形すると、
Ｌ＝ｄｗ／（ｐ−ｗ）      ・・・（２−２）
【００３９】
同様に、幾何学上の相似関係から（２−３）式を導くことができる。
ｄ／ｈ＝（ｄ＋Ｌ）／Ｈ    ・・・（２−３）
（２−３）式を変形すると、
Ｌ＝ｄ（Ｈ／ｈ−１）      ・・・（２−４）
【００４０】
（２−２）式と（２−４）式から、観察される３次元微細構造物１の拡大率αは（２−５）式にて表すことができる。
α＝Ｈ／ｈ＝ｐ／（ｐ−ｗ）・・・（２−５）
【００４１】
図２に示されるようなタイプＡのセキュリティ媒体では、観察者側に配列されたマイクロレンズ２を介して、観察側に対して反対側（観察者側からみて遠い側）に配列された３次元微細構造物の実像あるいは虚像を拡大観察することが可能とされている。本実施形態のセキュリティ媒体は、このような構成（タイプＡ）のみならず、次のような構成（タイプＢ）を採用することもできる。
【００４２】
図７は、本発明の実施形態に係るセキュリティ媒体（タイプＢ）の構成を示す模式図であって、セキュリティ媒体の一部を拡大した斜視図となっている。本実施形態のセキュリティ媒体５は、ＸＹ平面上に配列された３次元微細構造物１と、ＸＹ平面上に配列されたマイクロミラーレンズ３によって、拡大された３次元微細構造物１の実像もしくは虚像を観察者に観察させることを可能としている。
【００４３】
３次元微細構造物１の配列（３次元微細構造物アレイ）、マイクロミラーレンズ３の配列（マイクロミラーレンズアレイ）は、図７、図３に示すように格子状あるいは図４で説明したように亀甲状にて配置される。本実施形態の３次元微細構造物１並びにそれが配置されたシートは透明部材によって構成されている。一方、マイクロミラーレンズ３は、Ｚ軸負の方向に凹面を向けた反射面を有し、観察方向（Ｚ軸負側から正側に向かう方向）から入射する光を反射させる。マイクロミラーレンズ３で反射された光は、３次元微細構造物１を透過し、観察者に対して３次元微細構造物１の実像もしくは虚像を拡大表示する。
【００４４】
図８は、観察者側に３次元微細構造物１が配置されたセキュリティ媒体（タイプＢ）であって、３次元微細構造物１のピッチｗよりもマイクロミラーレンズ３のピッチｐが大き
い場合（ｐ＞ｗ）の構成となっている。図８には、マイクロミラーレンズ３によって形成されるミラー面と、３次元微細構造物１、並びに観察される実像が模式的に示されている。
【００４５】
３次元微細構造物１は、Ｚ軸上すなわち観察者の観察方向において、マイクロミラーレンズ３の略焦点位置に配置される。略焦点位置とは、観察者が拡大された３次元微細構造物１を視認できる範囲の位置を意味するものであって、正確な焦点距離に対し約３０％範囲以内の位置のことをいう。隣接するマイクロミラーレンズ３間のピッチをｐ、隣接する３次元微細構造物１間のピッチをｗ、３次元微細構造物１の直径をｈ、マイクロミラーレンズ３の曲率半径の中心位置から３次元微細構造物１までの距離をｄ、３次元微細構造物１からその実像までの距離をＬとする。
【００４６】
この場合、マイクロミラーレンズ３から射出される反射光は、３次元微細構造物１を透過して拡大像を形成する。このとき所定の距離Ｌの位置では、ピッチ差（ｐ−ｗ）を起因として、隣接する拡大像が同じ位置あるいは略同じ位置に重なり合うことで実像を形成する。これもタイプＡのセキュリティ媒体と同様、モアレ効果を利用したものであって、観察者は、拡大された３次元微細構造物１を浮いた状態で観察することが可能となる。
【００４７】
このように拡大して観察される３次元微細構造物１の拡大率について検証しておく。図８において幾何学上の相似関係から（３−１）式を導くことができる。
ｗ／Ｌ＝ｐ／（Ｌ＋ｄ）    ・・・（３−１）
（２−１）式を変形すると、
Ｌ＝ｄｗ／（ｐ−ｗ）      ・・・（３−２）
【００４８】
同様に、幾何学上の相似関係から（３−３）式を導くことができる。
ｄ／ｈ＝（ｄ＋Ｌ）／Ｈ    ・・・（３−３）
（２−３）式を変形すると、
Ｌ＝ｄ（Ｈ／ｈ−１）      ・・・（３−４）
【００４９】
（３−２）式と（３−４）式から、観察される３次元微細構造物１の拡大率αは（３−５）式にて表すことができる。
α＝Ｈ／ｈ＝ｐ／（ｐ−ｗ）・・・（３−５）
【００５０】
一方、図９は、図８と同様、観察者側に３次元微細構造物１が配置されているセキュリティ媒体（タイプＢ）であって、マイクロミラーレンズ３のピッチｐよりも３次元微細構造物１のピッチｗが大きい場合（ｗ＞ｐ）の構成となっている。図９には、マイクロミラーレンズ３によって形成されるミラー面と、３次元微細構造物１、並びに観察される虚像が模式的に示されている。
【００５１】
３次元微細構造物１は、Ｚ軸上すなわち観察者の観察方向において、マイクロミラーレンズ３の略焦点位置に配置される。隣接するマイクロミラーレンズミラー３間のピッチをｐ、隣接する３次元微細構造物１間のピッチをｗ、３次元微細構造物１の直径をｈ、マイクロミラーレンズミラー３の曲率半径の中心位置から３次元微細構造物１までの距離をｄ、３次元微細構造物１からその虚像までの距離をＬとする。
【００５２】
この場合、マイクロミラーレンズ３から射出された反射光は、３次元微細構造物１を透過して拡大像を形成する。所定の距離Ｌの位置では、ピッチ差（ｗ−ｐ）を起因として、隣接する拡大像が同じ位置あるいは略同じ位置に重なり合うことで虚像を形成する。観察者は拡大された３次元微細構造物１を沈んだ状態で観察することが可能となる。
【００５３】
このように拡大して観察される３次元微細構造物１の拡大率について検証しておく。図９において幾何学上の相似関係から（４−１）式を導くことができる。
ｗ／Ｌ＝ｐ／（Ｌ−ｄ）    ・・・（４−１）
（１−１）式を変形すると、
Ｌ＝ｄｗ（ｗ−ｐ）        ・・・（４−２）
【００５４】
同様に、幾何学上の相似関係から（４−３）式を導くことができる。
h／ｄ＝Ｈ／（Ｌ−ｄ）    ・・・（４−３）
（４−３）式を変形すると、
Ｌ＝ｄ（Ｈ／ｈ＋１）      ・・・（４−４）
【００５５】
（４−２）式と（４−４）式から、観察される３次元微細構造物１の拡大率αは（４−５）式にて表すことができる。
α＝Ｈ／ｈ＝ｐ／（ｐ−ｗ）  ・・・（４−５）
【００５６】
タイプＡ、タイプＢのセキュリティ媒体それぞれについて、ｗ＞ｐの場合と、ｗ＜ｐの場合の拡大率について検討したが、次にｗ＞ｐの場合（ケース１）、ｗ＜ｐの場合（ケース２）のそれぞれについて、３次元微細構造物のピッチｗの好適とされる範囲について検討する。ここではマイクロレンズ２を使用したタイプＡについて検討するが、マイクロミラーレンズ３を用いたタイプＢについても同様である。
【００５７】
まず、ｗ＞ｐの場合（ケース１）について３次元微細構造物１のピッチｗの上限、下限について説明する。
３次元微細構造物１のピッチwに対するピッチ差（ｗ−ｐ）の比率をＡ［％］とすると
、
３次元微細構造物１のピッチwに対するマイクロレンズ２のピッチpとのピッチ差は、
ｗ−ｐ＝ｗ×Ａ／１００        ・・・（５−１）
で表すことができる。このピッチ差を用いてマイクロレンズ２のピッチｐは、
ｐ＝ｗ（１−Ａ／１００）      ・・・（５−２）
と表すことができる。
【００５８】
ケース１の場合、拡大率αは（１−５）式で表すことができる。ピッチｗ内に位置する３次元微細構造物１は、ピッチｗと拡大率αの積となる大きさβを上限として観察されることとなる。
β＝ｗ×α＝ｗ（ｐ／ｗ−ｐ）  ・・・（５−３）
【００５９】
観察時における大きさβを２０００［μｍ］（２［ｍｍ］）以上の大きさに設定することを考えると（５−３）式から
β＝ｗ（ｐ／ｗ−ｐ）≧２０００    ・・・（５−３）’
の関係が必要となる。（５−３）’式に（５−２）式を代入すると、
１００ｗ／（２０００＋ｗ）≧Ａ      ・・・（５−３）’’
なる関係が得られ、３次元微細構造物１に対するピッチ差（ｗ−ｐ）の比率Ａは、３次元微細構造物１のピッチｗに依存することが分かる。
【００６０】
図１０は、（５−３）’’をグラフ化した図であって、ｗ＞ｐの場合（ケース１）における３次元微細構造物のピッチｗと、ピッチｗに対するピッチ差（ｗ−ｐ）の比率Ａを示した図である。実線は（５−３）’’において、大きさβがちょうど２０００［μｍ］となる値を示している。この実線よりも下方、図ではドットが付された領域内では大きさβは２０００［μｍ］よりも大きい値となる。
【００６１】
３次元微細構造物１のピッチｗの上限は３００［μｍ］以下に設定することが好ましい。３次元微細構造物１のピッチｗを３００［μｍ］以上とすると、レンズ等の拡大手段を用いなくてもピッチｗ内に配置される３次元構造物１を目視で容易に観察可能となる。したがって、偽造や改ざんを防止する上では目視で観察できない大きさにピッチｗを設けることが好ましい。さらに好ましくは、ピッチｗの上限を１００［μｍ］に設定することとする。目視での観察をより困難な状態とし、偽造、改ざんをさらに抑制することが可能となる。
【００６２】
一方、マイクロレンズ２のピッチｐは、３次元微細構造物１のピッチｗと同様に３００［μｍ］以下とすることが好ましく、１００［μｍ］以下の大きさに設定することがさらに好ましい。観察される実像または虚像は１個のマイクロレンズ２を１画素として観察される。ピッチｐが３００［μｍ］以上になると画素が粗くなり解像度の低い観察像となってしまう。一方、ピッチｐが１００［μｍ］以下では画素が目視でほとんど見えなくなり解像度の高い像を提供することが可能となる。
【００６３】
また３次元微細構造物１のピッチｗの下限は１０［μｍ］とすることが好ましい。これは、ピッチ差（ｗ−ｐ）の比率Ａを理由とするものである。本実施形態ではモアレ効果を利用して像を拡大する関係上、３次元微細構造物１とマイクロレンズ２のピッチ差が重要である。しかしながら、ピッチ差の比率Ａは０．５［％］以上の精度で合わせ込むことは困難である。したがって、３次元微細構造物１のピッチｗの下限は、β＝２０００［μｍ］におけるピッチ差の比率Ａ＝０．５［％］としたときの値である１０［μｍ］に設定することが好ましい。
【００６４】
次に、ｗ＜ｐの場合（ケース２）について３次元微細構造物１のピッチｗの上限、下限について説明する。
３次元微細構造物１に対するピッチ差（ｗ−ｐ）の比率をＡ［％］とすると、
３次元微細構造物１に対するマイクロレンズ２のピッチ差は、
ｐ−ｗ＝ｗ×Ａ／１００        ・・・（６−１）
で表すことができる。このピッチ差を用いてマイクロレンズ２のピッチｐは、
ｐ＝ｗ（１＋Ａ／１００）      ・・・（６−２）
と表すことができる。
【００６５】
ケース２の場合、拡大率αは（２−５）式で表すことができる。ピッチｗ内に位置する３次元微細構造物１は、ピッチｗと拡大率αの積となる大きさβを上限として観察されることとなる。
β＝ｗ×α＝ｗ（ｐ／ｐ−ｗ）  ・・・（６−３）
【００６６】
観察時における大きさβを２０００［μｍ］（２［ｍｍ］）以上の大きさに設定することを考えると（６−３）式から
β＝ｗ（ｐ／ｐ−ｗ）≧２０００    ・・・（６−３）’
の関係が必要となる。（６−３）’式に（６−２）式を代入すると、
１００ｗ／（２０００−ｗ）≧Ａ      ・・・（６−３）’’
なる関係が得られ、３次元微細構造物１に対するピッチ差（ｐ−ｗ）の比率Ａは、ケース１の場合と同様、３次元微細構造物１のピッチｗに依存することが分かる。
【００６７】
図１１は、（６−３）’’をグラフ化した図であって、ｗ＜ｐの場合（ケース２）における３次元微細構造物のピッチｗと、ピッチｗに対するピッチ差（ｐ−ｗ）の比率Ａを示した図である。実線は（６−３）’’において、大きさβがちょうど２０００［μｍ］となる値を示している。この実線よりも下方、図ではドットが付された領域内では大きさβは２０００［μｍ］よりも大きい値となる。
【００６８】
ケース１の場合と同様、３次元微細構造物１のピッチｗの上限は、偽造や改ざん抑制の観点から３００［μｍ］以下に設定することが好ましい。さらには１００［μｍ］に設定することが好ましい。
【００６９】
また、ケース１の場合と同様、マイクロレンズ２のピッチｐについては、３００［μｍ］以下の大きさに設定することが好ましく、１００［μｍ］以下の大きさに設定することがさらに好ましい。
【００７０】
また、ケース２の場合、３次元微細構造物１のピッチｗの下限は１０［μｍ］とすることが好ましい。これはケース１の場合と同様、ピッチ差の比率Ａを０．５［％］以上に合わせ込むことが困難であることを理由としている。したがって、３次元微細構造物１のピッチｗの下限は、β＝２０００［μｍ］におけるピッチ差の比率Ａ＝０．５［％］としたときの値である１０［μｍ］に設定することが好ましい。
【００７１】
では、本発明の実施形態に係るセキュリティ媒体の製造過程（製造方法）、並びに、その構成の実施例を説明する。本実施形態のセキュリティ媒体は、３次元微細構造物１もしくはマイクロレンズ２（マイクロミラーレンズ３）のどちらか一方を、２枚のプラスチックシートで挟持一体化することで、挟持される対象物の取り出し、及び、その複製を困難な状態とし、容易に偽造や改ざんを行うことを防止することが可能となる。
【００７２】
（実施例１）
図１２には、セキュリティ媒体（タイプＡ）の製造過程及びその構成が示されている。図１２（ａ）はセキュリティ媒体の製造過程を、また、図１２（ｂ）はセキュリティ媒体の構成（図１におけるＡ−Ａ’間のＺＸ平面での断面図）が示されている。なお、図１において実際に利用可能なセキュリティカード４を構成する場合、図１２に図示した以外の層が設けられる場合がある。
【００７３】
実施例１のセキュリティ媒体は、２枚のプラスチックシート３１、３２の間に３次元微細構造物１を有する３次元微細構造物シート１０を挟持一体化することで形成される。まず、この３次元微細構造物シート１０の製造過程について説明する。
【００７４】
工程１：Ｓｉ基板の上にポジレジスト（東京応化工業社製ＰＭＥＲ  Ｐ−ＬＡ９００ＰＭ）を２０μｍの膜厚で塗布し、フォトマスクを介して、ステッパ露光、現像処理、Ａｌスパッタを施し、１つ９０μｍの大きさ（高さ５μｍ）の３次元微細構造物１を有する凹凸パターンを２０ｍｍ×２０ｍｍのエリア内にＸ方向９９μｍ、Ｙ方向９９μｍピッチで配列したレジスト原版を作製する。
【００７５】
工程２：工程１で作製したレジスト原版の上にＵＶ硬化樹脂１２を滴下し、ＰＥＴなどを材料とする基材１１を被せた後、３６５ｎｍのＵＶ（紫外線）を照射して硬化させ、レジスト原版から剥離することで表面に３次元微細構造物１が形成された複製版を作製する。
【００７６】
工程３：工程２の複製版の３次元微細構造物１表面に反射層１３を形成する。本実施形態では、Ａｌ（アルミニウム）を約３０ｎｍスパッタすることで３次元微細構造物１表面に反射層１３を形成している。反射層１３は、このようにＡｌなどの金属層を設けることなどで完全反射型とする構成以外に、高屈折率層、薄い金属層、あるいは多層膜を設けることで半透過型とすることとしてもよい。
【００７７】
工程４：抜き刃を用いて、工程３で反射層１３が形成された複製版を１５ｍｍ×１５ｍ
ｍに打ち抜き、３次元微細構造物シート１０が作製される。
【００７８】
本実施形態では、このように３次元微細構造物１の形成にあたり、ＵＶ硬化樹脂（光硬化性樹脂）を用いることとしたが、このほか、材料には熱硬化性樹脂あるいは熱可塑性樹脂を用いることや、製法には熱プレスを用いて形成することとしてもよい。
【００７９】
このような工程で作製された３次元微細構造物シート１０は、２枚のプラスチックシート３１、３２に挟持され、熱インプリント装置にて熱プレスすることでカード化、すなわち、図１に示されるような実際に使用されるセキュリティカード４と同じ面形状を有するセキュリティ媒体５として作製される。その際、本実施形態では熱プレスを行う際に、マイクロレンズ２を同時にプラスチックシート３１上に賦形することで、工程の簡略化が図られている。
【００８０】
２枚のプラスチックシート３１、３２間で挟持一体化される３次元微細構造物シートの位置、特に３次元微細構造物のＺ軸方向の位置は、プラスチックシート３１の厚みを選択することで制御することが可能である。図５、図６で説明したように距離ｄを含むレンズ面と３次元微細構造物１のＺ軸方向の位置合わせは、ぼけの少ない像を形成するために重要である。挟持一体化の過程、すなわち熱プレスを経た完成後のセキュリティ媒体からは、レンズ面と３次元微細構造物１の距離を特定することは困難となるため、このような製造工程は、複製防止効果に役立つこととなる。
【００８１】
マイクロレンズ２の賦形は、熱プレスする際に使用される金型５１に賦形されたマイクロレンズ賦形部５２によって行われる。本実施形態では、１５０ｍｍ×１５０ｍｍの大きさのＳＵＳ板の表面に版面形成用の銅めっき層を設け、銅めっき層にエッチングによってマイクロレンズを形成後、クロムめっきを施して、１５ｍｍ×１５ｍｍのエリア（マイクロレンズ賦形部５２）内にＸ方向１００μｍ、Ｙ方向１００μｍピッチで多数配列したマイクロレンズ２の金型５１（原版）を作製した。
【００８２】
セキュリティ媒体は、工程１〜工程４の製造工程で作製された３次元微細構造物シート１０を２枚のプラスチックシート３１、３２間に挟んだ状態で、マイクロレンズ賦形部５２を有する金型５１と金型５０との間で熱プレスすることでカード化される。その際、３次元微細構造物シート１０上にマイクロレンズ賦形部５２が位置するように金型５１の位置決めされる。
【００８３】
このように作製されたセキュリティ媒体において、マイクロレンズ２部分を観察することで拡大された３次元微細構造物１を観察することができた。
【００８４】
（実施例２）
図１３には、図１２と同様の製造方法で作成されたセキュリティ媒体（タイプＡ）について、その製造過程（ａ）と、構成（ｂ）が示されている。ただし、本実施形態は、３次元微細構造物シート１０の向きが異なっている。このような構成では、３次元微細構造物シートを形成する基材１１、ＵＶ硬化樹脂１２は、３次元微細構造物１を観察できるよう透明であることが必要となる。
【００８５】
さらにこのような３次元微細構造物１の裏面、すなわち、観察側とは反対側に反射層１３が設けられた構成によれば、マイクロレンズ２から入射する光は、レジスト原版でＵＶ硬化樹脂１２に賦形された３次元微細構造物１の表面で直接反射して、観察者に拡大像を提示する。観察者は、賦形時における３次元微細構造物１の形を観察することとなり、エッジなまり等を抑えた先鋭な形状を観察することが可能となる。
【００８６】
（実施例３）
図１４には、セキュリティ媒体（タイプＢ）の製造過程及びその構成が示されている。図１４（ａ）〜（ｃ）はセキュリティ媒体の製造過程を、また、図１４（ｄ）はセキュリティ媒体の構成（図１におけるＡ−Ａ’間のＺＸ平面での断面図）が示されている。なお、図１において実際に利用可能なセキュリティカード４を構成する場合、図１４に図示した以外の層が設けられる場合がある。
【００８７】
実施例３のセキュリティ媒体は、２枚のプラスチックシート３１、３２の間にマイクロミラーレンズ３を有するマイクロミラーレンズシート２０を挟持一体化することで形成される。まず、このマイクロミラーレンズシート２０の製造過程について説明する。
【００８８】
工程１：Ｓｉ基板の上にポジレジスト（東京応化工業社製ＰＭＥＲ  Ｐ−ＬＡ９００ＰＭ）を２０μｍの膜厚で塗布し、フォトマスクを介して、ステッパ露光、現像処理、Ａｌスパッタを施し、２０ｍｍ×２０ｍｍのエリア内に、Ｘ方向１００μｍ、Ｙ方向１００μｍピッチで多数配列したマイクロレンズアレイの原版を作製する。
【００８９】
工程２：工程１で作製したマイクロレンズアレイの原版の上にＵＶ硬化樹脂２２を滴下し、ＰＥＴなどを材料とする基材２１を被せた後、３６５ｎｍのＵＶ(紫外線)を照射して硬化させ、レジスト原版から剥離することで表面にマイクロミラーレンズ３の原型を有する複製版を作製する。
【００９０】
工程３：工程２の複製版のマイクロミラーレンズ３の表面に反射層２３を形成する。本実施形態では、Ａｌ（アルミニウム）を約３０ｎｍスパッタすることで３次元微細構造物１の表面に反射層１３を形成している。前述した実施例と同様、反射層１３には、完全反射型、半透過型、どちらを採用することとしてもよい。
【００９１】
工程４：抜き刃を用いて、工程３で反射層１３が形成された複製版を１５ｍｍ×１５ｍｍに打ち抜き、マイクロミラーレンズシート２０が作製される。
【００９２】
このような工程で作製されたマイクロミラーレンズシート２０は、２枚のプラスチックシート３１、３２に挟持され、熱インプリント装置にて熱プレスすることで、図１４（ｂ）に示されるようなプラスチックシート３１、３２の間にマイクロミラーレンズシート２０を挟持一体化されたシートが形成される。本実施形態では、このように作製されたシート上に３次元微細構造物１を賦形することで、セキュリティ媒体が作製される。
【００９３】
Ｓｉ基板の上にポジレジスト（東京応化工業社製ＰＭＥＲ  Ｐ−ＬＡ９００ＰＭ）を２０μｍの膜厚で塗布し、フォトマスクを介して、ステッパ露光、現像処理、Ａｌスパッタを施し、１５ｍｍ×１５ｍｍのエリア内（３次元微細構造物賦形部５３）に、１つ９０μｍの大きさ（高さ４μｍ）の凹凸パターンからなる３次元微細構造物１をＸ方向９９μｍ、Ｙ方向９９μｍピッチで配列した３次元微細構造物１のレジスト原版を作製する。
【００９４】
作製されたレジスト原版にＵＶ硬化樹脂を滴下し、上から青板ガラスを被せて、ＵＶ光を照射して硬化させ、レジスト原版から剥離して複製版５４を作製する。
【００９５】
図１４（ｂ）のシート上にＵＶ硬化樹脂を滴下し、マイクロミラーレンズ３が形成されている位置に複製版５４を重ねて位置合わせし、青板ガラス５５側からＵＶ光を照射して硬化させ、複製版５４を剥離することで、シート上に３次元微細構造物１が賦形され、セキュリティ媒体が完成する。図１４（ｃ）には、その工程が、また、図１４（ｄ）には完成時のセキュリティ媒体の様子が示されている。
【００９６】
このように作製されたセキュリティ媒体において、マイクロミラーレンズ３からの反射光にて拡大された３次元微細構造物１を観察することができた。
【００９７】
（実施例４）
図１５には、図１４と同様の製造方法で作成されたセキュリティ媒体（タイプＢ）について、その製造過程（ａ）〜（ｃ）と、構成（ｄ）が示されている。ただし、本実施形態は、マイクロミラーレンズシート２０の向きが異なっている。このような構成では、３次元微細構造物シートを形成する基材２１、ＵＶ硬化樹脂２２は、マイクロミラーレンズ３に対して光を透過できるよう透明であることが必要となる。
【００９８】
さらにこのようなマイクロミラーレンズ３の裏面、すなわち、観察側とは反対側に反射層２３が設けられることで、設計時の反射光光路を略再現することが可能となり、歪みの少ない３次元微細構造物１の像を観察者に提示することが可能となる。
【００９９】
実施例３、実施例４のタイプＢにおける３次元微細構造物１の形成では、ＵＶ硬化樹脂（光硬化性樹脂）を用いる場合について説明したが、このほか、材料には熱硬化性樹脂あるいは熱可塑性樹脂を用いることや、製法には熱プレスを用いることなど各種形態を採用することが可能である。
【０１００】
なお、本発明はこれらの実施形態のみに限られるものではなく、それぞれの実施形態の構成を適宜組み合わせて構成した実施形態も本発明の範疇となるものである。
【符号の説明】
【０１０１】
１…３次元微細構造物
２…マイクロレンズ
３…マイクロミラーレンズ
４…セキュリティカード
５…セキュリティ媒体
１０…３次元微細構造物シート
１１…基材
１２…ＵＶ硬化樹脂
１３…反射層
２０…マイクロミラーレンズシート
２１…基材
２２…ＵＶ硬化樹脂
２３…反射層
３１、３２…プラスチックシート
５０…金型（基台）
５１…金型
５２…マイクロレンズ賦形部
５３…３次元微細構造物賦形部
５４…複製版
５５…青板ガラス
５６…ＵＶ硬化樹脂
【図１】
0005867696.tif 000003
【図２】
0005867696.tif 000004
【図３】
0005867696.tif 000005
【図４】
0005867696.tif 000006
【図５】
0005867696.tif 000007
【図６】
0005867696.tif 000008
【図７】
0005867696.tif 000009
【図８】
0005867696.tif 000010
【図９】
0005867696.tif 000011
【図１０】
0005867696.tif 000012
【図１１】
0005867696.tif 000013
【図１２】
0005867696.tif 000014
【図１３】
0005867696.tif 000015
【図１４】
0005867696.tif 000016
【図１５】
0005867696.tif 000017